(57)【要約】【課題】医療従事者による入力／操作ミスの修正履歴に関する情報をデータベースに蓄積し、医療従事者による診療情報の入力処理における入力／操作ミスの再発を防止するべく、タイミングを図って注意喚起を行い、診療情報の入力支援を行うことにある。【解決手段】実施の形態における診療情報入力支援システムは、情報端末とサーバ装置とを備える。情報端末は、医療従事者が患者に対する診療情報を入力する際に用いる。サーバ装置は、診療情報を保存するデータベースと、制御回路と、を有する。また、サーバ装置の制御回路は、医療従事者が診療情報を入力する処理を行うに当たって、診療情報に対応付けられた注意喚起のタイミングを判別する判別機能と、タイミングごとに、情報端末を介して医療従事者に対して注意喚起を行う報知機能を備える。【選択図】図３
2020035026.tif 000002
【特許請求の範囲】
【請求項１】
医療従事者が患者に対する診療情報を入力する際に用いる情報端末と、
前記診療情報を保存するデータベースと、制御回路と、を有するサーバ装置と、を備え、
前記サーバ装置の制御回路は、
前記医療従事者が前記診療情報を入力する処理を行うに当たって、前記診療情報に対応付けられた注意喚起のタイミングを判別する判別機能と、
前記タイミングごとに、前記情報端末を介して前記医療従事者に対して前記注意喚起を行う報知機能と、
を備えることを特徴とする診療情報入力支援システム。
【請求項２】
前記タイミングは、前記医療従事者が前記診療情報を入力する処理を行う際に、前記診療情報ごとに複数設けられることを特徴とする請求項１に記載の診療情報入力支援システム。
【請求項３】
前記タイミングは、前記医療従事者が前記診療情報を入力する前、入力した後、及び、入力された内容を前記データベースに登録する登録時の少なくともいずれか１つのタイミングであることを特徴とする請求項２に記載の診療情報入力支援システム。
【請求項４】
前記制御回路は、前記注意喚起を前記医療従事者が前記診療情報を入力する前に行う場合に、デフォルト値が指定されている前記診療情報については、前記デフォルト値を消去し、前記デフォルト値が消去されたことを明示することで前記医療従事者に対して前記注意喚起を行うことを特徴とする請求項３に記載の診療情報入力支援システム。
【請求項５】
前記制御回路は、前記医療従事者によって前記診療情報が入力された際に、入力された前記診療情報の適否を判別して、入力された前記診療情報の内容が適切ではない場合に、前記医療従事者に対して前記注意喚起を行うことを特徴とする請求項３または請求項４に記載の診療情報入力支援システム。
【請求項６】
前記制御回路は、入力された前記診療情報を前記データベースに登録する時に前記医療従事者に前記注意喚起を行う場合、前記注意喚起の後、前記医療従事者に対して複数の処理態様を提示することを特徴とする請求項３ないし請求項５のいずれかに記載の診療情報入力支援システム。
【請求項７】
前記制御回路は、さらに、前記診療情報を前記データベースに登録する登録機能を備えることを特徴とする請求項１ないし請求項６のいずれかに記載の診療情報入力支援システム。
【請求項８】
前記サーバ装置は、さらに前記医療従事者の入力／操作ミスの情報を前記診療情報ごとに保存する入力／操作ミスデータベースを備え、
前記制御回路は、前記注意喚起の前記タイミングを、前記医療従事者が前記入力／操作ミスの情報を前記入力／操作ミスデータベースに登録する際に判別することを特徴とする請求項７に記載の診療情報入力支援システム。
【請求項９】
サーバ装置に、
医療従事者による入力／操作ミスの情報を診療情報ごとに登録させるステップと、
前記入力／操作ミスの情報を登録する際に、併せて前記診療情報に対応付けられた注意喚起のタイミングを判別するステップと、
前記医療従事者が前記診療情報を入力する処理を行う際に前記タイミングを判別し、前記タイミングごとに、情報端末を介して前記医療従事者に対して前記注意喚起を報知するステップと、
を含む処理を実行させることを特徴とする注意喚起プログラム。
【請求項１０】
前記注意喚起を報知する前記タイミングは、前記医療従事者が前記診療情報を入力する処理を行う際に、前記診療情報ごとに複数設けられることを特徴とする請求項９に記載の注意喚起プログラム。
【請求項１１】
前記タイミングは、前記医療従事者が前記診療情報を入力する前、入力した後、及び、入力された内容をデータベースに登録する登録時の少なくともいずれか１つのタイミングであることを特徴とする請求項１０に記載の注意喚起プログラム。
【発明の詳細な説明】
【技術分野】
【０００１】
本発明の実施の形態は、診療情報入力支援システム及び注意喚起プログラムに関する。
【背景技術】
【０００２】
近年、電子カルテシステム等の病院情報システムが医療機関の内外に構築される。医師、看護師、薬剤師、検査技師などの医療従事者は、様々な形態の情報端末を用いて、患者情報、症状、薬剤情報、検査情報などの診療情報を入力する操作を行う。
【０００３】
医療従事者が診療情報を入力する際には、誤った入力を防ぐために必須入力項目のチェックや入力数値の閾値チェックなどの処理が行われる。また、病院情報システムには、過去に入力した内容の複写や、頻繁に入力する内容を予め登録しておき、入力時に使用できるようにする等、入力ミスや操作ミスを防止する機能、入力効率を上げるための機能が用意されている。
【０００４】
また、診療情報の保存に当たっては、厚生労働省の「医療情報システムの安全管理に関するガイドライン」に沿った真正性の確保が必要とされる。そのため、病院情報システムを用いて入力した診療情報のデータを修正する場合は修正履歴を残す必要があり、修正時には修正理由を記入することが一般的である。
【先行技術文献】
【特許文献】
【０００５】
【特許文献１】国際公開第２００２／０３３６１４号
【発明の概要】
【発明が解決しようとする課題】
【０００６】
このようにこれまでの入力ミスや操作ミスの防止に当たっては、操作者である医療従事者の入力、操作を全て一律にチェックしている。一方で、このチェックの仕方では医療従事者ごとのミスをより細かくチェックするには足りない場合が考えられる。
【０００７】
すなわち、例えば、任意項目の入力忘れやボタンのクリック間違いなどの入力／操作ミスは、個人によってミスの傾向や頻度が異なるものであり、医療従事者ごとに最適なチェックを行うことができない。また、入力データを記録した後にミスに気づいた場合、医療従事者は再度入力画面を開き、修正を行わなければならず、手間が掛かってしまう。さらにこれらのミスに気づかなければ、誤った情報で診療を進めてしまう可能性がないわけではない。
【０００８】
本発明は上記課題を解決するためになされたものであり、本発明の目的は、医療従事者による入力／操作ミスの修正履歴に関する情報をデータベースに蓄積し、医療従事者による診療情報の入力処理における入力／操作ミスの再発を防止するべく、タイミングを図って注意喚起を行い、診療情報の入力支援を行うことにある。
【課題を解決するための手段】
【０００９】
実施の形態における診療情報入力支援システムは、情報端末とサーバ装置とを備える。情報端末は、医療従事者が患者に対する診療情報を入力する際に用いる。サーバ装置は、診療情報を保存するデータベースと、制御回路と、を有する。また、サーバ装置の制御回路は、医療従事者が診療情報を入力する処理を行うに当たって、診療情報に対応付けられた注意喚起のタイミングを判別する判別機能と、タイミングごとに、情報端末を介して医療従事者に対して注意喚起を行う報知機能を備える。
【図面の簡単な説明】
【００１０】
【図１】実施の形態における診療情報入力支援システムを含む全体構成を示す全体図。
【図２】実施の形態における情報端末の内部構成を示すブロック図。
【図３】実施の形態におけるサーバ装置の内部構成を示すブロック図。
【図４】実施の形態における診療情報入力支援システムでの処理の大まかな流れを示すフローチャート。
【図５】実施の形態におけるデータ収集処理の流れを詳細に示すフローチャート。
【図６】実施の形態におけるデータ収集処理でのディスプレイに表示される画面の一例。
【図７】実施の形態における注意喚起処理での流れを詳細に示すフローチャート。
【図８】実施の形態における注意喚起処理での流れを詳細に示すフローチャート。
【図９】実施の形態における注意喚起処理のうち、医療従事者の診療情報入力の前に注意喚起を行う場合の流れを示すフローチャート。
【図１０】医療従事者の入力の前に注意喚起を行う場合にディスプレイに表示される画面の一例。
【図１１】実施の形態における注意喚起処理のうち、医療従事者の診療情報入力の後に注意喚起を行う場合の流れを示すフローチャート。
【図１２】医療従事者の入力の後に注意喚起を行う場合にディスプレイに表示される画面の一例。
【図１３】実施の形態における注意喚起処理のうち、医療従事者による診療情報の入力が完了して登録する時に注意喚起を行う場合の流れを示すフローチャート。
【図１４】医療従事者による診療情報の入力が完了して登録する時に注意喚起を行う場合にディスプレイに表示される画面の一例。
【発明を実施するための形態】
【００１１】
以下、実施の形態について図面を参照して詳細に説明する。
【００１２】
［診療情報入力支援システムの全体構成］
図１は、実施の形態における診療情報入力支援システムＳを含む全体構成を示す全体図である。図１に示すように、診療情報入力支援システムＳは、情報端末１とサーバ装置２からなる。また、診療情報入力支援システムＳと、通信ネットワークＮを介して各種院内システム３とモダリティ４とが接続される。
【００１３】
情報端末１は、医療従事者が診療情報を入力する際に利用する装置である。情報端末１としては、例えば、パーソナルコンピュータやワークステーションを挙げることができる。また、据え置き、可搬型のいずれも問わない。従って、スマートフォンやタブレット等であっても構わない。
【００１４】
図２は、実施の形態における情報端末１の内部構成を示すブロック図である。情報端末１は、端末制御回路１１と、ディスプレイ１２と、入力回路１３と、記憶回路１４と、端末通信制御回路１５と、リムーバブルディスク１６とがバスＢを介して接続されている。
【００１５】
端末制御回路１１は、情報端末１を構成する各部を制御する。具体的な構成としては、例えば、図２では図示しない、ＣＰＵ（Ｃｅｎｔｒａｌ  Ｐｒｏｃｅｓｓｉｎｇ  Ｕｉｎｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）を備える。
【００１６】
ＣＰＵは、入力回路１３からの入力信号に基づいてＲＯＭから情報端末１を起動するためのブートプログラムを読み出して実行し、記憶回路１４に格納されている各種オペレーティングシステムを読み出す。また端末制御回路１１は、入力回路１３を介して、図２において図示していないその他の外部機器からの入力信号に基づいて各種装置の制御を行う。
【００１７】
またＣＰＵは、ＲＡＭや記憶回路１４等に記憶されたプログラム及びデータを読み出してＲＡＭにロードする。そして、ＣＰＵは、病院情報システムを介して、例えば電子カルテに患者に関する診療情報を入力する際の制御を行い、入力された診療情報のミスを修正する際の入力支援に関する制御を行う。
【００１８】
さらに、ＣＰＵは、例えば、ＲＡＭから読み出されたプログラムのコマンドに基づいて、後述するサーバ装置２からの注意喚起の情報を取得し、表示用データとして登録しディスプレイ１２に表示する制御を行う。
【００１９】
ディスプレイ１２は、例えば液晶ディスプレイや有機ＥＬ（Ｅｌｅｃｔｒｏｌｕｍｉｎｅｓｃｅｎｃｅ）ディスプレイである。このディスプレイ１２は、端末制御回路１１からバスＢを介して出力信号を受信し、例えば医療従事者が診療情報の入力を行う際に、その入力を支援する表示、或いは、端末制御回路１１の処理結果や操作画面（例えば、医療従事者から各種指示を受け付けるためのＧＵＩ（Ｇｒａｐｈｉｃａｌ  Ｕｓｅｒ  Ｉｎｔｅｒｆａｃｅ））等を表示する。
【００２０】
入力回路１３は、情報端末１の利用者である医療従事者による様々な入力操作を受け付ける。入力回路１３は、医療従事者の操作に基づいて入力信号を作成し、当該入力信号はバスＢを介して端末制御回路１１に送信される。当該入力回路１３としては、例えば、ＧＵＩ、或いは、ボタンやキーボード、トラックボール、ディスプレイ１２に表示されるタッチパネル等の入力デバイスを採用することが可能である。
【００２１】
記憶回路１４は、例えば、半導体や磁気ディスク等で構成されている。記憶回路１４には、端末制御回路１１で実行されるプログラムやデータが記憶されている。例えば、医療従事者が診療情報を入力する際に用いる電子カルテに関するプログラムが記憶されている。
【００２２】
端末通信制御回路１５は、ＬＡＮカードやモデム等の手段であり、情報端末１をインターネットやＬＡＮ等の、上述した通信ネットワークＮに接続することを可能とする手段である。通信ネットワークＮと端末通信制御回路１５を介して、例えば後述するサーバ装置２との間で送受信したデータは入力信号または出力信号として、バスＢを介して端末制御回路１１に送受信される。
【００２３】
リムーバブルディスク１６は、光ディスクやフレキシブルディスクのことであり、ディスクドライブによって読み書きされた信号は、バスＢを介して端末制御回路１１に送受信される。なお、リムーバブルディスク１６は、情報端末１に含まれない構成とすることも可能である。
【００２４】
サーバ装置２は、情報端末１とともに診療情報入力支援システムＳを構成し、情報端末１を介して入力される診療情報や医療従事者による入力／操作ミスに関する情報を保存する。また、医療従事者が診療情報を入力する際に、その入力支援を行う。
【００２５】
図３は、実施の形態におけるサーバ装置２の内部構成を示すブロック図である。サーバ装置２は、診療データベース２１と、入力／操作ミスデータベース２２と、記憶回路２３と、通信制御回路２４と、制御回路２５とが、バスＢを介して接続されている。
【００２６】
診療データベース２１は、医療従事者によって情報端末１を介して入力される患者の診療情報を保存する。また、入力／操作ミスデータベース２２は、医療従事者が診療情報の修正を行った際の情報を記憶する。
【００２７】
入力／操作ミスデータベース２２に記憶される情報としては、例えば、修正の処理を行った医療従事者に関する情報、修正した項目、内容、理由等、修正に関する全ての情報である。また、修正内容の記憶は、例えば、医療従事者ごと、修正された書類ごと等に行われても良い。そして、医療従事者が診療情報を入力する際に報知される注意喚起のタイミングに関する情報も、診療情報や各修正項目等ごとに対応付けられて記憶されている。このような情報が入力／操作ミスデータベース２２に記憶されることによって、後述する修正履歴を利用した診療情報の入力支援が可能となる。
【００２８】
なお、ここでは診療データベース２１及び入力／操作ミスデータベース２２における構造は、テーブル形式等、いずれの構造も採用することができる。また、ここでは、サーバ装置２内に診療データベース２１及び入力／操作ミスデータベース２２が設けられている例を挙げて説明するが、診療データベース２１及び入力／操作ミスデータベース２２は、例えば、後述する各種院内システム３の中に設けられていても良い。或いは、診療データベース２１及び入力／操作ミスデータベース２２が各種システムから独立して通信ネットワークＮに直接接続されていても良い。
【００２９】
記憶回路２３は、例えば、半導体や磁気ディスクで構成されている。記憶回路２３には、例えば、医療従事者が診療情報を入力する際に情報端末１のディスプレイ１２に注意喚起を表示させる注意喚起プログラムが記憶されている。また、その他、サーバ装置２において行われる各種処理を実行するための様々なプログラムが記憶されていても良い。
【００３０】
当該注意喚起プログラムが制御回路２５に実装されることにより、医療従事者による診療情報の入力処理が行われる際に、適切なタイミングで医療従事者に対して注意喚起を行う注意喚起処理がサーバ装置２において実行可能となる。また、例えば、注意喚起プログラムは図３において示されていない、リムーバブルディスクに格納されていても良い。この場合、注意喚起プログラムがリムーバブルディスクから読み込まれることでサーバ装置２に当該プログラムが実装される。
【００３１】
通信制御回路２４は、ＬＡＮカードやモデム等の手段であり、サーバ装置２をインターネットやＬＡＮ等の、通信ネットワークＮに接続することを可能とする手段である。通信ネットワークＮと通信制御回路２４を介して、例えば情報端末１との間で送受信したデータは入力信号または出力信号として、バスＢを介して制御回路２５に送受信される。
【００３２】
制御回路２５は、サーバ装置２を構成する各部を制御する。具体的な構成としては、例えば、図３では図示しない、ＣＰＵ（Ｃｅｎｔｒａｌ  Ｐｒｏｃｅｓｓｉｎｇ  Ｕｉｎｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）を備える。なお、制御回路２５が実行する各機能については、後述する。
【００３３】
院内システム３は、医療機関内に構築される各種システムである。院内システム３としては、例えば、病院情報管理システム（ＨＩＳ：Ｈｏｓｐｉｔａｌ  Ｉｎｆｏｒｍａｔｉｏｎ  Ｓｙｓｔｅｍ）、放射線部門情報管理システム（ＲＩＳ：Ｒａｄｉｏｌｏｇｉｃａｌ  Ｉｎｆｏｒｍａｔｉｏｎ  Ｓｙｓｔｅｍ）、医用画像管理システム（ＰＡＣＳ：Ｐｉｃｔｕｒｅ  Ａｒｃｈｉｖｉｎｇ  Ｃｏｍｍｕｎｉｃａｔｉｏｎ  Ｓｙｓｔｅｍ）といった各種管理システムが該当する。
【００３４】
なお、診療情報入力支援システムＳは、これまで説明してきたように、それ自体独立したシステムとして構成されても良いが、院内システム３の全て、或いは、その一部として構成するようにされていても良い。
【００３５】
モダリティ４は、患者を撮影してその内部情報を取得する医用画像取得（撮影）装置である。モダリティ４としては、例えば、Ｘ線ＣＴ装置（ｃｏｍｐｕｔｅｄ  ｔｏｍｏｇｒａｐｈｙ：コンピュータ断層撮影装置）や、磁気共鳴診断装置（ＭＲＩ：ｍａｇｎｅｔｉｃ  ｒｅｓｏｎａｎｃｅ  ｉｍａｇｉｎｇ）、或いは、超音波診断装置等が該当する。
【００３６】
なお、図１においては、診療情報入力支援システムＳとして、情報端末１もサーバ装置２もそれぞれ１つずつ通信ネットワークＮに接続されている状態を示している。しかしながら、診療情報入力支援システムＳを構成する情報端末１及びサーバ装置２は、いずれもその台数を任意に設定することができる。
【００３７】
また、同様に、通信ネットワークＮに接続される診療情報入力支援システムＳ、院内システム３及びモダリティ４は、それぞれ１つではなく、複数接続させることができる。
【００３８】
通信ネットワークＮは、診療情報入力支援システムＳ（情報端末１及びサーバ装置２）と、院内システム３と、モダリティ４とをそれぞれつなぎ、互いの間で、例えば電子カルテに記載される患者の診療情報等、各種情報のやりとりを可能とする。通信ネットワークＮの例としては、インターネットを挙げることができるが、その他ＬＡＮ（Ｌｏｃａｌ  Ａｒｅａ  Ｎｅｔｗｏｒｋ）等のネットワークも挙げられる。また、この通信ネットワークＮを介してやり取りされる情報に関する規格は、ＤＩＣＯＭ（Ｄｉｇｉｔａｌ  Ｉｍａｇｉｎｇ  ａｎｄ  Ｃｏｍｍｎｉｃａｔｉｏｎｓ  ｉｎ  Ｍｅｄｉｃｉｎｅ）等、いずれの規格であっても良い。また、通信ネットワーク等との接続に当たっては、有線、無線を問わない。
【００３９】
次に、サーバ装置２の制御回路２５が実行する各機能について、以下、説明する。
【００４０】
制御回路２５は登録機能、判別機能、報知機能を実行する。このうち、登録機能は、医療従事者によって入力された診療情報を診療データベース２１に登録する。また、診療情報の修正が行われた場合には、医療従事者によって入力された修正に関する情報を入力／操作ミスデータベース２２に登録する。
【００４１】
制御回路２５は、サーバ装置２が実行する、「データ収集処理」及び「注意喚起処理」の各処理を実行する。データ収集処理は、医療従事者による入力／操作ミスの情報を収集する処理である。収集処理によって収集された情報は、入力／操作ミスデータベース２２に保存される。当該データ収集処理は、上述したように、制御回路２５が登録機能及び判別機能を用いて実行する。
【００４２】
一方、注意喚起処理は、医療従事者が診療情報の入力を行う際に、その入力の支援を行うべく実行される処理である。従って、注意喚起処理は、データ収集処理によって収集され、入力／操作ミスデータベース２２に保存されている診療情報（入力項目）ごとの修正履歴に関する情報を用いて行われる。入力された診療情報は、診療データベース２１に保存される。この注意喚起処理は、制御回路２５の報知機能及び判別機能を用いて実行する。
【００４３】
データ収集処理は、まず、医療従事者による情報端末１へのログイン処理を受け付けるところから開始される。すなわち、医療従事者が情報端末１を使用して入力ミス、操作ミスの修正処理を行うことになるため、そのためには、医療従事者が情報端末１にログインする必要がある。
【００４４】
医療従事者によるログイン処理が成功すると、端末制御回路１１は、ディスプレイ１２に情報端末１におけるメイン画面を表示させる。そして、医療従事者が修正処理を行うために修正画面を選択すると、端末制御回路１１は、ディスプレイ１２の表示制御を行い、当該メイン画面を修正画面へと画面を遷移させる。
【００４５】
そして、医療従事者による修正の理由を受け付ける。電子カルテ等に記入された診療情報が修正される場合には、様々な理由が存在する。例えば、医療従事者による単なる入力ミスや操作ミスが考えられる。一方、例えば、患者の容体が変化したことによる修正も考えられる。
【００４６】
このうち、ここでのデータ収集処理は、医療従事者による入力／操作ミスの情報を収集することである。これに対して、患者の容体が変化したことによる修正はその修正が医療従事者に起因するものではないため、データ収集処理の対象外の修正内容となる。
【００４７】
医療従事者はいずれの理由による修正であるかを選択して修正を行う。患者の容体が変化したことによる修正の場合は、サーバ装置２は、修正処理を受け付けて、制御回路２５は、登録機能を用いて修正内容を診療データベース２１に登録する。
【００４８】
修正が医療従事者による入力／操作ミスに起因する場合には、サーバ装置２は、修正内容を受け付ける。そして制御回路２５は登録機能を用いて当該修正内容を診療データベース２１に登録する。併せて、制御回路２５は、入力／操作ミスに関する修正内容の中から、例えば、修正処理を行った医療従事者に関する情報や修正された診療情報の項目といった内容を把握する。
【００４９】
制御回路２５は、把握された当該修正内容を基に、判別機能を用いて、医療従事者に対する注意喚起を行う際のタイミングを判別し、タイミングの情報を修正内容（診療情報）に対応付ける。このように制御回路２５の判別機能によって注意喚起のタイミングが設定されることになるため、医療従事者が診療情報を入力する際には、設定されたタイミングをもって注意喚起が行われる。これによって、医療従事者に対する入力の支援となる。
【００５０】
なお、医療従事者が診療情報を入力した場合における、当該入力された診療情報の適否の判別も制御回路２５が判別機能を用いて行う。ここで入力された診療情報が適切ではないと判別された場合には、医療従事者に対する注意喚起が行われる。
【００５１】
また、設定されたタイミングの情報が対応付けられた修正内容を、入力／操作ミスデータベース２２に登録させる。当該登録によってデータ収集処理が完了する。
【００５２】
次に、注意喚起処理について説明する。医療従事者が診療情報の入力を行う際に、入力ミスや操作ミスが発生しないように、その入力処理を支援するべく、制御回路２５が報知機能を用いて医療従事者に報知を行う。この制御回路２５による処理が注意喚起処理である。
【００５３】
すなわち報知機能は、医療従事者による診療情報の入力が行われる際に、様々なタイミングで医療従事者に対して注意喚起を報知する機能である。医療従事者への注意喚起は、例えば、情報端末１のディスプレイ１２に文字を表示させることで行われる。また、ディスプレイ１２への表示以外にも、医療従事者の五感に訴えるように報知することとしても良い。
【００５４】
医療従事者が診療情報を入力するに当たっては、入力された診療情報を修正する場合と同じく、まず情報端末１にログインする必要がある。
【００５５】
医療従事者によるログイン処理が成功すると、端末制御回路１１は、ディスプレイ１２に情報端末１におけるメイン画面を表示させる。そして、医療従事者が入力処理を行うために入力画面を選択し、入力対象となる書類が特定されると、端末制御回路１１は、ディスプレイ１２の表示制御を行い、当該メイン画面を入力画面へと画面を遷移させる。
【００５６】
端末制御回路１１は、医療従事者が診療情報の入力を開始するに当たって、入力／操作ミスデータベース２２を参照する。これは、医療従事者が診療情報を入力する際に適切なタイミングで注意喚起を実行するために、これまでどのような修正内容が登録されているかを確認するものである。また、併せて修正内容（診療情報）に対応付けられて保存されている注意喚起のタイミングについても把握し特定する。
【００５７】
ここで注意喚起のタイミングとしては、本発明の実施の形態においては、入力前、入力後、及び登録時の３つのタイミングが設定されている。但し、医療従事者に対して適切に注意喚起が行われるのであれば、タイミングの回数については、任意に設定することができる。また、複数のタイミングにまたがって同じ注意喚起を行うこととしても良い。
【００５８】
そこで、制御回路２５は、修正内容ごとに特定したタイミングで医療従事者に対して注意喚起を実行する。まず、医療従事者がこれから診療情報を入力しようとしている対象書類に、医療従事者が診療情報を入力する前に注意喚起を実行する必要がある修正内容があるか否かを確認する。その結果、入力前に注意喚起が必要な項目が存在する場合には、医療従事者が該当項目について入力を開始する前に注意喚起を実行する。
【００５９】
注意喚起のタイミングは、医療従事者が該当項目に対する入力を開始する前であれば足りる。従って、ディスプレイ１２に表示されている入力対象書類における該当項目全てに対して一度に注意喚起を行っても良い。或いは、例えば、該当項目にカーソルが当てられる等、これから入力されることが明確な該当項目に限って注意喚起を行うこととしても良い。この場合には、入力前に注意喚起が必要な項目に対して入力が行われる度に注意喚起が行われる。
【００６０】
また、入力前の注意喚起の方法として、例えば、医療従事者が入力する診療情報の中で、既に入力内容としてデフォルト値が設定されている場合がある。例えば、日付けの項目のように、元々空欄とはされておらず、例えば、「２０１７／１／１」との表示が示されているような項目の場合である。この項目について、医療従事者が入力する場合には、このデフォルト値を変更することで入力を行うことになる。
【００６１】
このようなデフォルト値に対する修正内容が多い場合には、上述したように当該項目に対する注意喚起を表示させることができる。或いは、一旦表示されているデフォルト値を消去して必須入力項目とすることで医療従事者に適切な内容の入力を促すこともできる。すなわち、注意喚起の対象となる項目ごとに、注意喚起の方法を変化させることもできる。
【００６２】
次に、医療従事者が入力する前に注意喚起が必要な項目がない場合には、入力後に注意喚起が必要な項目があるか否かを修正内容に対応付けられて保存されているタイミングに関する情報を基に確認する。例えば、入力後に注意喚起が必要な項目が存在する場合には、医療従事者が該当項目について入力した後に注意喚起を実行する。
【００６３】
例えば、入力項目として「薬剤の用量」が設けられている場合、当該「用量」については、実際にその容量が入力されなければその入力の適否は判別することができない。また、別途入力された「薬剤名」との関係で適切な用量であるか否かを判断する必要がある場合も考えられる。このような診療情報については、入力前に注意喚起を行うよりも入力された診療情報を基にその適否を判断して注意喚起を行った方が効果があると考えられる。そこで、このような項目については、入力後に注意喚起を行う。
【００６４】
サーバ装置２の制御回路２５では、入力された診療情報を受信して入力内容が適正であるか否かを判別する。具体的には、制御回路２５が判別機能を用いて、入力項目と入力された内容とを基にその適否を判断する。或いは、当該判別のパラメータとして関連する項目における入力内容を参照しても良い。
【００６５】
その結果、入力内容が適切ではない場合には、注意喚起を行う。そして医療従事者が入力内容の修正を行ったか否かの確認も行う。
【００６６】
さらに、医療従事者による診療情報の入力の前後に注意喚起を行う必要のある項目がない場合には、次に、入力された診療情報を登録する際に注意喚起が必要な項目があるか否かの確認が行われる。
【００６７】
登録時に注意喚起を行う必要のある項目が存在する場合には、まず、判断回路２５は、医療従事者による対象項目の入力処理が完了するまで待機する。これは、対象項目への入力内容が確定しなければ医療従事者への注意喚起を行うことができないからである。制御回路２５は、医療従事者による対象項目の入力処理が完了し入力された内容が確定すると、判別機能を用いて、入力項目と入力された内容とを基にその適否を判断する。その結果入力内容が適切ではない場合には、ディスプレイ１２に注意喚起の表示を示す。
【００６８】
注意喚起の表示態様としては、様々な態様を設定することができる。例えば、単に入力した内容の登録の可否を医療従事者に問い掛ける態様であっても良い。或いは、登録する処理を行う場合であっても、入力した内容そのままを登録する処理と、修正を行った上で登録する処理とに分ける、というように、複数の処理態様を採用しても良い。また、登録内容を修正する場合も、医療従事者自身に再入力を促すこととしても、或いは、サーバ装置２の方で自動的に修正を行う処理を実行することとしても良い。
【００６９】
以上で医療従事者に対する入力前、入力後、そして登録時における注意喚起が終了し、医療従事者による診療情報の入力も完了する。そこで、制御回路２５は登録機能を用いて、診療情報を入力された診療データベース２１に登録する。さらに医療従事者による全ての入力処理が完了したか否かの確認を行い、引き続き入力処理が実行される場合には、再度入力対象となる書類を特定する処理まで戻って上述した流れで入力処理が行われる。一方、引き続いての入力処理が行われない場合には、ここで入力処理は完了する。
【００７０】
医療従事者が診療情報を入力するに当たって、上述したような複数のタイミングで適宜注意喚起が行われることによって、医療従事者による入力ミス、操作ミスを大きく低減させることが可能となる。
【００７１】
なお、制御回路２５は、上述したように、医療従事者による診療情報の入力項目に従って適宜注意喚起のタイミングを判別、設定している。但し、当該注意喚起は１つのタイミングだけで実行されるのではなく、複数のタイミングにまたがって実行されても良い。例えば、薬剤の用量であれば、医療従事者の入力前（例えば、「用量の間違いに気をつけて下さい」）、入力後（例えば、「○○ｍｌで間違いはないですか。」）、登録時（例えば、「入力ミスが多い項目であり、再確認をお願いします。」）といった複数のタイミングで注意喚起を実行させることができる。
【００７２】
すなわち、入力項目ごとに１回から複数の注意喚起のタイミングを設定することができる。そして、当該設定に当たっては、入力項目ごとに予め設定されている重要度等を参考にすることも可能である。また、入力ミスの頻度を参考にしても良い。例えば、ある期間の中でのミスの回数を医療従事者に報知するだけではなく、例えば、ミスの頻度を基に注意喚起のタイミングを増やす処理を行っても良い。
【００７３】
さらに、入力項目が必須の入力項目であるか、或いは、任意の入力項目であるかによっても、注意喚起のタイミングを異ならせるように設定しても良い。例えば、必須の入力項目の場合には、入力前、或いは、入力後の１回と登録時の１回の計２回注意喚起を実行する、と設定することができる。
【００７４】
一方、任意の入力項目については、逆に登録時の注意喚起は行わず、入力前、或いは、入力後のいずれか１回に限って注意喚起を行うようにしても良い。また、任意の入力項目については、さらに、入力をし忘れたことについてのミスに関する情報を入力／操作ミスデータベース２２から取得し、登録時にまとめて注意喚起を行う処理としても良い。
【００７５】
なお、ここで例えば、制御回路２５の登録機能、判別機能、報知機能については、所定のメモリや記憶回路２３等に記憶される、例えば、注意喚起プログラムといったプログラムをプロセッサに実行させることによって実現することも可能である。ここで本明細書における「プロセッサ」という文言は、例えば、専用又は汎用のＣＰＵ（Ｃｅｎｔｒａｌ  Ｐｒｏｃｅｓｓｉｎｇ  Ｕｎｉｔ）  ａｒｉｔｈｍｅｔｉｃ  ｃｉｒｃｕｉｔ（ｃｉｒｃｕｉｔｒｙ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００７６】
プロセッサは、例えば記憶回路２３に保存された、又は、プロセッサの回路内に直接組み込まれたプログラムを読み出し実行することで機能を実現する。プログラムを記憶する記録回路は、プロセッサごとに個別に設けられるものであっても構わないし、或いは、例えば、図３における診療データベース２１や入力／操作ミスデータベース２２に記憶するものであっても、さらには図１に示す記憶回路２３の構成を採用しても構わない。記憶回路の構成には、例えば、半導体や磁気ディスクといった一般的なＲＡＭ（Ｒａｎｄｏｍ  Ａｃｃｅｓｓ  Ｍｅｍｏｒｙ）やＨＤＤ（Ｈａｒｄ  Ｄｉｓｃ  Ｄｒｉｖｅ）等の記憶装置が適用される。
【００７７】
［動作］
次に、図４ないし図１４を利用して、診療情報入力支援システムでの処理について説明する。ここで図４は、実施の形態における診療情報入力支援システムＳでの処理の大まかな流れを示すフローチャートである。図４に示すように、診療情報入力支援システムＳでの処理としては、大きく「データ収集処理」と「注意喚起処理」の２つの処理が含まれる。そこで、まず、図５及び図６を用いて「データ収集処理」について説明する。
【００７８】
図５は、実施の形態におけるデータ収集処理の流れを詳細に示すフローチャートである。また、図６は、実施の形態におけるデータ収集処理でのディスプレイ１２に表示される画面の一例を示すものである。
【００７９】
まず、情報端末１の端末制御回路１１は、ディスプレイ１２にログイン画面を表示させ、医療従事者に対して情報端末１へのログインを促す。医療従事者がログイン処理を行う間、端末制御回路１１は待機の状態にある。そして医療従事者によるログイン処理が行われるまで当該待機状態は継続し、ログイン処理が完了すると、次に、ディスプレイ１２にメイン画面を表示させる。ここまでは通常の端末における制御と何ら変わることはない。
【００８０】
ここでの説明は、医療従事者が入力ミス、操作ミスの修正を行うことで修正内容を入力／操作ミスデータベース２２に登録するデータ収集処理に関するものである。そのため、ここでは、医療従事者が修正画面を選択したことを示す信号を端末制御回路１１が受信する（ＳＴ１１）。当該信号に基づいて、端末制御回路１１は、修正画面をディスプレイ１２に表示させるとともに、修正対象となる書類を特定する（ＳＴ１２）。
【００８１】
この際にディスプレイ１２に表示される画面例が、図６に示されている画面例である。図６に示す画面例では、「修正指示者」と「修正理由」の欄が設けられている。「修正指示者」の欄には、通常は、情報端末１にログインした医療従事者の氏名、或いは、ＩＤ等が表示される。または、プルダウンメニューから適宜「修正指示者」を選択することで、ログイン処理した医療従事者と修正を指示した医療従事者とを異ならせることも可能である。
【００８２】
一方、「修正理由」は、ここでは２つの理由が示されている。すなわち、医療従事者による記載ミスを起因とした修正であることを示す「記載ミスによる修正」と患者の容体が変更したことによって診療情報を修正する必要が出てきた場合に利用される「容体変更による修正」である。端末制御回路１１は、いずれの理由が選択されたか、修正理由を受け付ける（ＳＴ１３）。
【００８３】
そして端末制御回路１１は、さらに医療従事者による修正内容の入力がミスによるものであるか否かを確認する（ＳＴ１４）。もし修正理由が「記載ミスによる修正」である場合には（ＳＴ１４のＹＥＳ）、修正処理を受け付けて（ＳＴ１５）、修正内容をサーバ装置２の診療データベース２１に登録する（ＳＴ１６）。
【００８４】
併せて端末制御回路１１は、サーバ装置２の制御回路２５に対して修正処理が行われたことを報知する（ＳＴ１７）。なお、ここでは修正内容の診療データベース２１への送信と制御回路２５への送信とを別の処理として説明しているが、修正内容を示す情報に修正処理が行われたことを示す情報も含めて修正内容が診療データベース２１に登録される際に、併せて制御回路２５に報知することとしても良い。
【００８５】
サーバ装置２の制御回路２５は、その判別機能を用いて修正内容ごとに注意喚起を行うタイミングを判別する（ＳＴ１８）。そして当該タイミングに関する情報を修正内容（診療情報）と対応付けて入力／操作ミスデータベース２２に登録する（ＳＴ１９）。
【００８６】
一方、医療従事者による修正理由の選択が、「記載ミスによる修正」ではなく、「容体変更による修正」である場合には（ＳＴ１４のＮＯ）、端末制御回路１１は、医療従事者による修正処理を受け付けて（ＳＴ２０）、修正内容を診療データベース２１に登録する（ＳＴ２１）。以上で修正理由のデータ収集処理が完了する。
【００８７】
次に、医療従事者が診療情報を入力する際に、入力項目に適したタイミングで注意喚起を行う注意喚起処理について説明する。図７及び図８は、実施の形態における注意喚起処理での流れを詳細に示すフローチャートである。なお、診療情報を入力するために医療従事者が情報端末１に既にログインしていることが前提となる。
【００８８】
情報端末１の端末制御回路１１は、医療従事者によって診療情報を入力するための入力画面が選択されたことを示す信号を受信する（ＳＴ３１）。さらに、診療情報が入力される対象となる書類が特定されるとともに、特定された入力対象書類に関する情報がサーバ装置２の制御回路２５へと送信される（ＳＴ３２）。当該特定が行われることによって、端末制御回路１１はディスプレイ１２に入力画面を表示させる（ＳＴ３３）。
【００８９】
なお、ここで特定される診療情報が入力される対象となる書類は、例えば、電子カルテの入力対象ページ、入力対象欄等であっても良い。
【００９０】
一方、制御回路２５では特定された入力対象書類に関する情報を基に、入力／操作ミスデータベース２２を参照して（ＳＴ３４）、入力する診療情報に対応する修正内容ごとの注意喚起処理のタイミング特定する（ＳＴ３５）。医療従事者に対して対象項目の入力処理が行われる前に注意喚起を実行する項目ここまでの処理が、医療従事者が入力を開始する前に実行される。
【００９１】
そして注意喚起のタイミングは、上述したように入力の対象となる項目ごとに異なることから、入力の対象となる項目ごとに適切なタイミングで注意喚起が実行される。
【００９２】
まず、制御回路２５は、特定されたタイミングが入力前に注意喚起が必要な項目である場合か否かを確認する（ＳＴ３６）。その結果、これから医療従事者が診療情報を入力しようとしている項目が入力前に注意喚起が必要な項目である場合には（ＳＴ３６のＹＥＳ）、入力前に注意喚起が実行される（ＳＴ３７）。図９は、実施の形態における注意喚起処理のうち、医療従事者の診療情報入力の前に注意喚起を行う場合の流れを示すフローチャートである。
【００９３】
この場合は、制御回路２５は報知機能を用いて、例えば、医療従事者が該当入力項目にカーソルを合わせるといった操作を行うことで画面上に注意喚起を表示させる（ＳＴ３７１）。また、注意喚起のタイミングが特定された段階で、入力前に注意喚起が必要な項目については注意喚起を表示させることとしても良い。
【００９４】
さらに、入力前の注意喚起が必要な項目にデフォルト値が設けられているか否かも確認する（ＳＴ３７２）。ここでデフォルト値は、項目によって予め入力されている記載、値等のことである。そして、当該項目にデフォルト値が設けられている場合には（ＳＴ３７２のＹＥＳ）、まずデフォルト値をディスプレイ１２から消去して必須入力項目として指定、表示させる（ＳＴ３７３）。
【００９５】
図１０は、医療従事者の入力の前に注意喚起を行う場合にディスプレイ１２に表示される画面の一例である。図１０には、３つの画面例が示されており、上段の画面例と中段の画面例の間、中段の画面例と下段の画面例との間にそれぞれ下向きの矢印が示されて、ディスプレイ１２における画面の遷移を示している。なお、中段の画面例については、例えば、上段に示す画面例に重畳して表示させるようにしても良い。
【００９６】
図１０に示す画面例では、診療情報の入力領域に７つの項目が示されている。すなわち、「手続」、「薬剤名」、「用量」、「単位」、「用法」、「実施日時」、「コメント」である。図１０における画面例では、これらの項目のうち「実施日時」がデフォルト値であるとして説明する。
【００９７】
上段の画面例に示されている通り、「実施日時」には「２０１７／１／１」という日付けがデフォルト値として表示されている。この「実施日時」について、診療情報を入力している医療従事者が修正を行っていると、制御回路２５は、入力／操作ミスデータベース２２から取得した修正内容に関する情報を基に、ディスプレイ１２上にその旨を表示し、医療従事者に対して注意喚起を行う。
【００９８】
中段の画面例では、「実施日時について、入力ミスによる修正が頻繁に行われています。」という注意を促す文言と当該修正が行われた期間の中で抽出された期間（図１０では「１ヶ月以内」）と修正回数（図１０では「Ｎ回以上」）も併せて表示されている。
【００９９】
医療従事者が当該中段の画面例に示す注意喚起の情報を確認して「ＯＫ」ボタンをクリックすると、下段に示す画面例へと遷移する。下段に示す画面例では、「実施日時」の項目に表示されていた、「２０１７／１／１」という日付けが消去され、当該欄を破線で囲むように表示されている。
【０１００】
ディスプレイ１２上でこのように予め入力されていた記載が消去されてしまったことで、当該記載欄が必須記載事項となる。また、強調表示がされることによって、実施日時を入力する医療従事者は、より気をつけて診療情報を入力することが可能になる。
【０１０１】
なお、図１０では、当該欄を破線で囲むことで強調表示としているが、例えば、欄の色を変更する等の方法で強調表示としても良い。また、医療従事者に対する入力前の注意喚起の対象としてデフォルト値が示されている項目がない場合には（ＳＴ３７２のＮＯ）、これまで説明した処理は実行されない。
【０１０２】
このように医療従事者が診療情報を入力する前に注意喚起が行われ、当該注意喚起を参考にして医療従事者が診療情報の入力を開始する。制御回路２５は、医療従事者からの診療情報の入力が開始されたか否かを確認し（ＳＴ３７４）、入力が開始されるまでは待機となる（ＳＴ３７４のＮＯ）。
【０１０３】
一方、入力開始の信号を受信した場合には（ＳＴ３７４のＹＥＳ）、制御回路２５は、入力処理を受け付ける（ＳＴ３７５）。以上で、医療従事者に対する入力前の注意喚起処理が完了する。
【０１０４】
そして、入力された診療情報の内容は、診療データベース２１に登録される（図８のＳＴ３８）。制御回路２５は、全ての入力項目について診療情報が入力されたか否かを確認し（ＳＴ３９）、まだ入力項目が残っている場合には（ＳＴ３９のＮＯ）、再度図７に示すステップＳＴ３６に戻って診療情報の入力項目ごとの注意喚起のタイミングに従って注意喚起を実行する。
【０１０５】
次に、医療従事者による診療情報の入力が完了した後に注意喚起処理を実行する場合を説明する。入力項目において、入力前の注意喚起が不要とされた項目については、次に入力後に注意喚起が必要か否か特定される（図７のＳＴ４０）。その結果、制御回路２５の判別機能によって入力後に注意喚起が必要であると判別された場合には、医療従事者による入力が完了した後、当該項目に対する注意喚起が実行される（ＳＴ４１）。
【０１０６】
図１１は、実施の形態における注意喚起処理のうち、医療従事者の診療情報入力の後に注意喚起を行う場合の流れを示すフローチャートである。まずは医療従事者による入力処理を受け付ける（ＳＴ４１１）。そして、当該入力内容について医療従事者がその内容を確定したか否かを確認する（ＳＴ４１２）。入力内容が確定されない場合には（ＳＴ４１２のＮＯ）、制御回路２５はそのまま待機の処理とする。
【０１０７】
一方、入力内容が確定された場合、例えば医療従事者によってエンターキーが押し下げられる等による信号を制御回路２５が受信した場合には（ＳＴ４１２のＹＥＳ）、制御回路２５は入力された内容をチェックする（ＳＴ４１３）。制御回路２５では、判別機能を用いて、入力項目と当該入力項目に入力されるべき内容が医療従事者によって入力されているか否かを判別する（ＳＴ４１４）。
【０１０８】
その結果、入力内容が適切ではないと判別された場合には（ＳＴ４１４のＮＯ）、医療従事者に対する注意喚起処理が実行される。ここで図１２は、医療従事者の入力の後に注意喚起を行う場合にディスプレイ１２に表示される画面の一例である。図１２には、上段と下段とにそれぞれ画面例が示されており、その間に下向きの矢印が示されている。すなわち、上段の画面例から下段の画面例へと画面が遷移することが示されている。
【０１０９】
ここでは、上段の画面例における「Ｐｌａｎ」の項目における記載内容について注意喚起が行われている。すなわち、「処方箋」の「箋」の字が漢字で記載されている場合に、当該「箋」は平仮名で「せん」と記載されるべきではないか、との注意喚起が下段の画面例に吹き出しで示されている。また、当該吹き出しの中には、「修正が頻繁に行われています。」との注意書も表示されている。
【０１１０】
医療従事者は、当該注意喚起によって自身の記入内容を確認し、入力内容の修正を行う（ＳＴ４１６）。制御回路２５は、医療従事者による修正処理が実行されるまで待機し（ＳＴ４１６のＮＯ）、修正が実行されると（ＳＴ４１６のＹＥＳ）、当該入力内容を診療データベース２１に登録する（図８のＳＴ３８）。そして、さらなる入力処理が実行されるか否かを確認する（ＳＴ３９）。
【０１１１】
次に、医療従事者に対する入力前後における注意喚起に関する判別が終わった後の登録時における注意喚起処理の流れについて図１３及び図１４を用いて説明する。図１３は、実施の形態における注意喚起処理のうち、医療従事者による診療情報の入力が完了して登録する時に注意喚起を行う場合の流れを示すフローチャートである。
【０１１２】
まず、制御回路２５は、医療従事者による入力処理を受け付ける（ＳＴ４３１）。そして制御回路２５では、当該入力された内容が確定されたか否かを確認し（ＳＴ４３２）、確定していない場合には（ＳＴ４３２のＮＯ）、待機となる。
【０１１３】
一方、入力内容が確定された場合には（ＳＴ４３２のＹＥＳ）、制御回路２５がその入力内容をチェックし（ＳＴ４３３）、入力内容が適切か否かを判別する（ＳＴ４３４）。そして、もし入力内容が入力項目に対して適切ではないと判別された場合には（ＳＴ４３４のＮＯ）、医療従事者に対して注意喚起が行われる（ＳＴ４３５）。なお、ここからの医療従事者に対する注意喚起処理については、図１４に示す画面例を用いながら説明する。
【０１１４】
図１４は、医療従事者による診療情報の入力が完了して登録する時に注意喚起を行う場合にディスプレイ１２示される画面の一例である。図１４に示す画面例も上中下３段に分かれて示されており、上段から中段、下段に向けて順に画面が遷移する。上段に示す画面例は、医療従事者によって診療情報が入力された直後のディスプレイ１２の表示を示している。すなわち、上述した、医療従事者によって入力内容が確定された場合の画面例である。
【０１１５】
ここでは図１０で示した項目と同じ７つの項目について医療従事者によって診療情報が入力されている。この状態で、上述したように制御回路２５が入力内容の適否を判別する。その結果、不適切な内容が入力されている場合には、中段の画面例がディスプレイ１２に表示されて、医療従事者に対して注意喚起が実行される。
【０１１６】
中段に示す画面例では、「ブドウ糖注５０％（２０ｍｌ／Ａ）は、ブドウ糖注１０％（１０ｍｌ／Ａ）に頻繁に修正されています。期間：１ヶ月以内、回数：Ｎ回以上」との本文が記載され、その下に、「修正して登録を行いますか。」との医療従事者に対する問い合わせが記載されている。
【０１１７】
当該問い合わせに関しては、ここでは、「修正前」の内容と「修正後」の内容のいずれもが表示され、医療従事者において確認が可能な状態とされている。また、これまで医療従事者が修正してきた通りに修正が実行されることが明確にされていれば、特にこのような表示を表示させなくても足りる。
【０１１８】
これらの本文、問い合わせの下には、左から「修正して登録」、「修正せずに登録」、「キャンセル」という３つのボタンが設けられ、複数の処理態様が示されている。医療従事者によって「修正して登録」のボタンがクリックされると、ここでは制御回路２５による表示した修正後の内容に修正前の内容を自動的に修正する処理が実行される。
【０１１９】
「修正せずに登録」は、医療従事者が記入した内容の通りに診療データベース２１に登録する処理である。また、「キャンセル」のボタンは、医療従事者が自身で修正を行う場合に用いられるボタンである。
【０１２０】
すなわち、医療従事者がキャンセルボタンを押し下げると、制御回路２５は、医療従事者による診療情報の再入力が行われるとして（ＳＴ４３７）、再度ステップＳＴ４３１に戻って入力処理を受け付ける。
【０１２１】
これに対して、医療従事者によってキャンセルボタン以外のボタンが押し下げられると（ＳＴ４３６のＹＥＳ）、押し下げられたボタンによって入力された診療情報をこのまま登録するか否か、制御回路２５が判別する（ＳＴ４３８）。すなわち、「修正して登録」のボタンが押し下げられた場合には（ＳＴ４３８のＮＯ）、サーバ装置２で自動的に修正処理を実行する（ＳＴ４３９）。
【０１２２】
図１４の中段及び下段の画面例ではこのことが示されている。中段の画面例では、「修正して登録」のボタンの部分に矢印が表示されていることから、医療従事者が当該「修正して登録」のボタンを選択することが理解できる。そして当該ボタンが押し下げられると、下段の画面例に遷移して、制御回路２５による自動修正後の画面が表示される。ここでは、薬剤名が修正されている。
【０１２３】
一方、「修正して登録」のボタンが押し下げられず、「このまま登録」のボタンが押し下げられた場合には（ＳＴ４３８のＹＥＳ）、図１４の下段に示す画面例とは異なり、自動修正処理は実行されない。以上のような注意喚起処理が実行された後、診療データベース２１に登録される（図８のＳＴ３８）。その後、入力されていない診療情報が存在するか否かの判別がなされる（ＳＴ３９）のは上述した通りである。
【０１２４】
以上説明した少なくとも１つの実施の形態によれば、医療従事者による入力/操作ミスの修正履歴に関する情報をデータベースに蓄積し、医療従事者による診療情報の入力処理における入力／操作ミスの再発を防止するべく、タイミングを図って注意喚起を行い、診療情報の入力支援を行うことが可能となる。
【０１２５】
また、上述したような直接的に医療従事者に対して注意喚起を行うだけではなく、例えば、入力／操作ミスデータベース２２に記憶されている情報を基に、医療従事者ごとのミスの統計やミスの件数を用いた習熟度の算出、或いは、院内システム３の他の情報を組み合わせて診療情報を扱う全ての医療従事者に対する情報提供を行うことで、医療従事者の意識向上を図り、各種システムの操作教育にも応用することができる。
【０１２６】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれる。
【符号の説明】
【０１２７】
１      情報端末
２      サーバ装置
３      院内システム
４      モダリティ
２１    診療データベース
２２    入力／操作ミスデータベース
２３    記憶回路
２４    通信制御回路
２５    制御回路
【図１】
2020035026.tif 000003
【図２】
2020035026.tif 000004
【図３】
2020035026.tif 000005
【図４】
2020035026.tif 000006
【図５】
2020035026.tif 000007
【図６】
2020035026.tif 000008
【図７】
2020035026.tif 000009
【図８】
2020035026.tif 000010
【図９】
2020035026.tif 000011
【図１０】
2020035026.tif 000012
【図１１】
2020035026.tif 000013
【図１２】
2020035026.tif 000014
【図１３】
2020035026.tif 000015
【図１４】
2020035026.tif 000016